(57)【要約】      （修正有）【課題】活線状態で割りピン異常を補修できる送電線鉄塔上のがいし連脱落防止用割りピンの補修装置を提供すること。【解決手段】絶縁棒の先端のチャックユニット２０に割りピン９の後端部９ａをチャックして保持し、割りピンの脚部９ｂ，９ｃをボルトの孔部に挿入する。水平回転ユニット６０の管体６１をチャックユニットの上部材２２に立設された立柱２７に嵌合し、絶縁棒を操作して管体を９０°水平回転させることにより、管体に延設された第１の係合片６４と第２の係合片６５により割りピンの脚部を水平方向に９０°屈曲させ、割りピンをボルトに挿着する。【選択図】図４
2005328590.tif 000002
【特許請求の範囲】
【請求項１】
がいし連を送電線鉄塔に固定するためのボルトの孔部に挿着される割りピンの補修装置であって、第１の補修装置と第２の補修装置とがあり、
第１の補修装置は、絶縁棒と、絶縁棒の先端部に装着されて回転軸を中心に上下方向に回転して開閉することにより割りピンの後端部を挟持する上部材と下部材から成るチャックユニットと、上部材上に立設された立柱と、先端部がチャックユニットの上部材に接続され、後端部が絶縁棒の後端握り部まで延出して、これをけん引することによりチャックユニットに開閉動作を行わせる線材から成り、
また第２の補修装置は、水平回転ユニットから成り、この水平回転ユニットは、前記立柱に上方から上下反転自在且つ着脱自在に嵌合する管体と、この管体から延出して前記チャックユニットにチャックされた割ピンの長い方の脚部の先端部に係合する第１の係合片および短い方の脚部の先端部に係合する第２の係合片と、この管体から側方へ延出し絶縁棒により水平回転操作が行われる突片とから成ることを特徴とする送電線鉄塔上のがいし連脱落防止用割りピンの補修装置。
【発明の詳細な説明】
【技術分野】
【０００１】
本発明は、送電線鉄塔上のがいし連脱落防止用割りピンの補修装置に関するものである。
【背景技術】
【０００２】
高圧送電線は、送電線鉄塔に取り付けられたがいし連に保持されている。がい子連は、懸垂型や耐張型などに大別されるが、いずれもボルトやナット等により送電線鉄塔の部材に取り付けられている。
【０００３】
ボルトには孔部が開孔されており、この孔部に脱落防止用割りピンを挿着するようになっている。ところが、昇塔点検時などに割りピン異常（割り不足・割りピンの脱落）が発見されることがある。その場合、割りピンの補修（割り不足の解消・新しい割りピンの挿着）を行わねばならない。
【発明の開示】
【発明が解決しようとする課題】
【０００４】
このような割りピンの補修を活線状態で行うことはきわめて危険である。そこで従来は、停電したうえで補修作業を行っていたが、かかる小規模な補修作業のためにわざわざ停電させることはコスト上きわめて不利であり、また割りピン異常を発見しても即応の補修が困難であった。
【０００５】
そこで本発明は、活線状態で割りピン異常を簡単に補修できる送電線鉄塔上のがいし連脱落防止用割りピンの補修装置を提供することを目的とする。
【課題を解決するための手段】
【０００６】
本発明は、がいし連を送電線鉄塔に固定するためのボルトの孔部に挿着された割りピンの補修装置であって、第１の補修装置と第２の補修装置とがあり、第１の補修装置は、絶縁棒と、絶縁棒の先端部に装着されて回転軸を中心に上下方向に回転して開閉することにより割りピンの後端部を挟持する上部材と下部材から成るチャックユニットと、上部材上に立設された立柱と、先端部がチャックユニットの上部材に接続され、後端部が絶縁棒の後端握り部まで延出して、これをけん引することによりチャックユニットに開閉動作を行わせる線材から成り、また第２の補修装置は、水平回転ユニットから成り、この水平回転ユニットは、前記立柱に上方から上下反転自在且つ着脱自在に嵌合する管体と、この管体から延出して前記チャックユニットにチャックされた割ピンの長い方の脚部の先端部に係合する第１の係合片および短い方の脚部の先端部に係合する第２の係合片と、この管体から側方へ延出し絶縁棒により水平回転操作が行われる突片とから成る。
【発明の効果】
【０００７】
上記構成の本発明によれば、第１の補修装置のチャックユニットに割りピンの後端部をチャックして保持し、その脚部をボルトの孔部に挿入する。次いで第２の補修装置の２つの係合片により割りピンの脚部を左右に屈曲させることにより、活線状態のままで割りピン異常を補修することができる。
【発明を実施するための最良の形態】
【０００８】
以下、本発明の実施の形態を図面を参照して説明する。図１は、本発明の実施の形態における送電線鉄塔の全体側面図、図２はがいし連の取り付け状態を示す側面図、図３は第１の補修装置と第２の補修装置の側面図、図４はチャックユニットと水平回転ユニットの斜視図、図５はチャックユニットと水平回転ユニットの使用中の側面図、図６はチャックユニットと水平回転ユニットの使用中の平面図、図７はチャックユニットの背面図、図８はボルトと割りピンの斜視図、図９（ａ），（ｂ），（ｃ）は割りピンの挿着作業の手順を示すボルトと割りピンの平面図である。
【０００９】
図１において、送電線鉄塔１のアーム部２の先端にはがいし連３が取り付けられている。本実施の形態のがいし連は懸垂型であるが、耐張型でもよい。送電線鉄塔上には２人の作業者Ｐ１，Ｐ２が昇塔しており、それぞれ第１の補修装置１０と第２の補修装置５０を操作している。
【００１０】
図２において、がいし連３は、がいし３ａを複数個連結して成っており、その下端部に高圧送電線１４が保持されている。２ａはアーム部２の部材である。がいし連３の上端部は鉄板などの取付板４に結合されている。図２、図８において取付板４を部材２ａに接合し、ボルト５を部材２ａと取付板４の孔部に挿入し、ナット６をボルト５に螺着し、更にボルト５に開孔された孔部５ａに割りピン９のまっすぐな２つの脚部９ｂ，９ｃを挿入して脚部９ｂ，９ｃの先端部を左右に屈曲させることにより、がいし連３は送電線鉄塔上に取り付けられている。割りピン９が脱落し、またナット６が緩んで脱落すると、ボルト５は脱落し、がいし連３も脱落する危険性があるので、割りピン異常が発見されたならば、早急にこれを補修する必要がある。なお割りピン異常は、がいし連の洗浄作業のために作業者が昇塔した際に発見されることが多い。
【００１１】
図３において、第１の補修装置１０は、絶縁棒１１の先端部にジョイント部１５を介してチャックユニット２０を装着して成っている。１６はチャックユニット２０と絶縁棒１１の結合部材であり、ジョイント部１５はこの結合部材１６に設けられている。１２はナイロン糸などの線材であって、その先端部はチャックユニット２０の上部材２２（後述）に接続されており、その後端部は絶縁棒１１の後端握り部１３まで延出している。第２の補修装置５０は、絶縁棒５１の先端部に水平回転ユニット６０を装着して成っている。
【００１２】
次に、図４〜図７を参照して、チャックユニット２０について説明する。図４、図５において、チャックユニット２０は下部材２１と上部材２２から成っている。下部材２１の先端部には下チャック部材２３が装着されている。下チャック部材２３の上面には略半円状の凹部２４が凹設されている。割りピン９は二股状であって、略環状の後端部９ａから２本の脚部９ｂ，９ｃがまっすぐに延出している。一方の脚部９ｂは他方の脚部９ｃよりもやや長い。割りピン９は、後端部９ａを凹部２４に嵌合させてチャックユニット２０に上下からチャック（挟持）される。
【００１３】
上部材２２の先端には上チャック部材２５が装着されている。上チャック部材２５は板状体であって、その先端部側にはボルト５に嵌合するための略半円形の切欠部２６が形成されている。また上部材２２の先端部上には管状の立柱２７が立設されており、その後面には水平ユニット６０の管体６１（後述）の回り止め用ピン２８が突設されている。この回り止め用ピン２８は、管体６１の水平方向の回転角度を所定角度（望ましくは略９０°）に規制する。
【００１４】
下部材２１の後端部には立上り部２１ａが設けられている。上部材２２と立上り部２１ａ上にはカバー部材３１が装着されている。カバー部材３１は溶接手段などにより立上り部２１ａに固着されている。上部材２２の後端部はピン（回転軸）３２によりカバー部材３１に上下方向に回転自在に軸着されている。また立上り部２１ａ上にはスライダー３３が前後方向（絶縁棒１１の長手方向）にスライド自在に装着されている（図７も参照）。スライダー３３の後端部上にはピン３４が立設されており、ピン３４には線材１２の先端部が取り付けられている。
【００１５】
図４、図５において、下部材２１と上部材２２はスプリング３５で連結されている。スプリング３５は、下部材２１と上部材２２が閉じる方向（上チャック部材２５が下チャック部材２３に接合して、凹部２４に装入された割りピン９の後端部９ａを上下からチャックする方向）に付勢されている。また上部材２２とスライダー３３の先端部上にはピン３６，３７が立設されている。ピン３７はカバー部材３１の上面に前後方向に形成されたスリット３８内に立設されている。ピン３６とピン３７にはスプリング３９が装着されている。以上のように、上部材２２は、スライダ３３、ピン３４，３６，３７、スプリング３９などを介して線材１２に接続されている。絶縁棒１１の握り部１３（図３）を保持する作業者Ｐ１が手許の線材１２を手前に引くと（矢印Ａ）、上部材２２はスプリング３５のばね力に抗してピン３２を中心に上方へ回転し、割りピン９のチャック状態を解除する（図５の鎖線で示す上部材２２および上チャック部材２５を参照）。
【００１６】
次に、図４〜図６を参照して第２の補修装置５０の水平回転ユニット６０について説明する。６１は管体であり、突片６２ａ，６２ｂが両側方へ延出している。突片６２ａ，６２ｂの先端部には被係合部としての６３ａ，６３ｂが開孔されている。管体６１の前面下部にはカギ型の第１の係合片６４が延出しており、また後面上部にはカギ型の第２の係合片６５が延出している。また管体６１の下端部にはＴ字形の切欠孔６６が形成されており、また上端部の反対面にはこれと同形の切欠孔６７が形成されている。絶縁棒５１（図３）の先端部には、孔部６３ａ，６３ｂに挿入される係合部としてのピン５２がアーム部材５３を介して取り付けられている。管体６１は上下反転自在であり、これを上下反転させて、チャックユニット２０の立柱２７に上方から着脱自在に嵌合される。
【００１７】
この割りピンの補修装置は上記のような構成より成り、次にその取り扱い操作方法について説明する。図９（ａ），（ｂ），（ｃ）は、割りピン９をボルト５の孔部５の孔部５ａに挿着する作業を順に示している。図９（ａ）に示すように、チャックユニット２０に割りピン９の後端部９ａを上下からチャックして保持し、作業者Ｐ１は絶縁棒１１を操作して脚部９ｂ，９ｃをボルト５の孔部５ａに挿入する（矢印ａ）。
【００１８】
図５、図６に示すように、第１の係合片６４を先端側（下向き）にして管体６１を立柱２７に嵌合させた状態において、第１の係合片６４の下端部は長い方の脚部９ｂの先端部に当接可能な位置にある。またこの状態において回り止め用ピン２８は、切欠孔６６の水平孔６６ａに嵌入しており、管体６１の水平回転角度は、ピン２８が水平孔６６ａ内を相対移動できる範囲に規制される。この水平回転角度は、上述のように望ましくは略９０°（すなわち、脚部９ｂ，９ｃを９０°屈曲させる角度）である。そこで他方の作業者Ｐ２は、絶縁棒５１を操作し、ピン５２を孔部６３ａに挿入して絶縁棒５１を押し引き操作（図６の矢印Ｂ）することにより、管体６１を略９０°水平回転させれば、脚部９ｂは第１の係合片６４により略９０°水平方向へ屈曲される（図９（ｂ）の矢印ｂ）。
【００１９】
次に水平回転ユニット６０を上下反転させて管体６１を再び立柱２７に嵌合させる。この状態で、上記の場合と同様に、回り止め用ピン２８は他方の切欠部６７の水平孔（図示せず）に嵌入して、管体６１の水平回転角度を規制する。すると第２の係合片６５は短い方の脚部９ｃの先端部に当接可能な位置となり、そこで上述と同様に絶縁棒５１を押し引き操作して管体６１を略９０°水平回転させれば、脚部９ｃは第２の係合片６５により略９０°水平方向へ屈曲される（図９（ｃ）参照）。
【００２０】
以上のようにして割りピン９の挿着作業が終了したならば、作業者Ｐ１は線材１２を手前に引く。すると上部材２２はスプリング３９のばね力に接して上方へ開き（図５の鎖線で示す上部材２２および上チャック部材２５を参照）、チャック状態は解除される。なお、管体６１を立柱２７に着脱するタイミングや、線材１２を引いてチャック状態を解除するタイミング等の操作手順は、補修現場の状況等に応じて自由に決定してよい。
【産業上の利用可能性】
【００２１】
以上のように本発明によれば、割りピン異常の補修を活線状態で安全且つ簡単に行うことができる。
【図面の簡単な説明】
【００２２】
【図１】送電線鉄塔の全体側面図
【図２】がいし連の取り付け状態を示す側面図
【図３】第１の補修装置と第２の補修装置の側面図
【図４】チャックユニットと水平回転ユニットの斜視図
【図５】チャックユニットと水平回転ユニットの使用中の側面図
【図６】チャックユニットと水平回転ユニットの使用中の平面図
【図７】チャックユニットの背面図
【図８】ボルトと割りピンの斜視図
【図９】割りピンの挿着作業の手順を示すボルトと割りピンの平面図
【符号の説明】
【００２３】
１  送電線鉄塔
３  がいし連
５  ボルト
５ａ  孔部
６  ナット
９  割りピン
９ａ  後端部
９ｂ，９ｃ  脚部
１０  第１の補修装置
１１  絶縁棒
１２  線材
２０  チャックユニット
２１  下部材
２２  上部材
２３  下チャック部材
２５  上チャック部材
２７  立柱
３２  回転軸（ピン）
５０  第２の補修装置
５１  絶縁棒
６０  水平回転ユニット
６１  管体
６２ａ，６２ｂ  突片
６４  第１の係合片
６５  第２の係合片
【図１】
2005328590.tif 000003
【図２】
2005328590.tif 000004
【図３】
2005328590.tif 000005
【図４】
2005328590.tif 000006
【図５】
2005328590.tif 000007
【図６】
2005328590.tif 000008
【図７】
2005328590.tif 000009
【図８】
2005328590.tif 000010
【図９】
2005328590.tif 000011